(57)【要約】【課題】切換部材を損傷させず遊技球の球抜作業を容易かつ円滑に行い、ひいては遊技球の球抜作業の作業効率を向上することができる遊技機を提供する。【解決手段】切換弁２１２は、切換弁２１２が第１回動停止位置に位置しているときに遊技球を払出通路２０４に導く傾斜片２１８と、切換弁２１２が第１回動停止位置に位置しているときに移動停止位置で停止している操作部材２１４と係合する係合片２２０と、を有し、傾斜片２１８及び係合片２２０は、切換弁２１２が第１回動停止位置に位置しているときにケーシング２０３の内部に位置しており、操作部材２１４は、切換弁２１２が第１回動停止位置及び第２回動停止位置に位置しているときにケーシング２０３の内部に位置している。【選択図】      図７
2010075627.tif 000002
【特許請求の範囲】
【請求項１】
遊技球を貯留する賞球タンクと、遊技球を賞球皿に供給する払出装置と、ケーシングの内部に設けられ前記賞球タンクに貯留された遊技球を前記払出装置に導く払出通路と、前記ケーシングの内部に設けられ前記賞球タンクに貯留された遊技球を前記払出装置に導くことなく排出する球抜通路と、前記ケーシングに設けられ前記賞球タンクに貯留された遊技球を前記払出通路又は前記球抜通路のいずれかに振り分ける切換部材と、を有する遊技機であって、
前記切換部材は、
第１回動停止位置と第２回動停止位置との間の往復移動が可能となるように前記ケーシングに設けられた回動軸の軸回りを回動可能に設けられ、前記第１回動停止位置で前記賞球タンクに貯留された遊技球を前記払出通路に導き、前記第２回動停止位置で前記賞球タンクに貯留された遊技球を前記球抜通路に導く切換弁と、
前記ケーシングの内部に直線方向に沿って移動可能となるように設けられ、所定の移動停止位置で停止した状態で前記切換弁と係合して前記切換弁を前記第１回動停止位置で停止させ、前記移動停止位置から直線方向に沿って移動して前記切換弁との係合状態を解除することにより前記切換弁の前記第１回動停止位置から前記第２回動停止位置に向かう前記回動軸の軸回りの回動を許容する操作部材と、
を有し、
前記切換弁は、当該切換弁が前記第１回動停止位置に位置しているときに遊技球を前記払出通路に導く傾斜片と、当該切換弁が前記第１回動停止位置に位置しているときに前記移動停止位置で停止している前記操作部材と係合する係合片と、を有し、
前記傾斜片及び前記係合片は、前記切換弁が前記第１回動停止位置に位置しているときに、前記ケーシングの内部に位置しており、
前記操作部材は、前記切換弁が前記第１回動停止位置及び前記第２回動停止位置に位置しているときに、前記ケーシングの内部に位置していることを特徴とする遊技機。
【請求項２】
前記切換弁は、前記操作部材と前記係合片との係合状態が解消されたときに重力を受けて当該切換弁を前記第１回動停止位置から前記第２回動停止位置に向かって前記回動軸の軸回りに回動させる重心偏心部を有することを特徴とする請求項１に記載の遊技機。
【請求項３】
前記操作部材を前記移動停止位置の方向に向かって付勢する付勢部材を有し、
前記切換弁は、当該切換弁が前記第２回動停止位置で停止している状態で前記操作部材と係合する係合部を有し、
前記切換弁は、当該切換弁が前記第２回動停止位置で停止した状態で、前記付勢部材の付勢力により前記係合部に押圧された前記操作部材と係合していることを特徴とする請求項１又は２に記載の遊技機。
【発明の詳細な説明】
【技術分野】
【０００１】
本発明は、遊技球を用いて遊技を行うパチンコ機やアレンジボール機などの遊技機に関する。
【背景技術】
【０００２】
従来の遊技機は、遊技球を貯留する賞球タンクと、遊技球を賞球皿に供給する払出装置と、賞球タンクに貯留された遊技球を払出装置に導く払出通路と、賞球タンクに貯留された遊技球を払出装置に導くことなく排出する球抜通路と、賞球タンクに貯留された遊技球を払出通路又は球抜通路のいずれかに振り分ける切換弁と、切換弁を操作する操作部材と、を有しているものがある。操作部材を操作することにより、切換弁を回動させ、遊技球が流下する通路を払出通路から球抜通路に切り換えることができる。
【特許文献１】特開２００１−２３９０３６号公報
【発明の開示】
【発明が解決しようとする課題】
【０００３】
しかしながら、上記従来の遊技機は、操作部材が横方に突出している。この突出した部分に遊技島側からぶらさがっているコネクタ等の部品が干渉し、操作部材が損傷するという問題があった。
【０００４】
そこで、本発明は、切換部材を損傷させず遊技球の球抜作業を容易かつ円滑に行い、ひいては遊技球の球抜作業の作業効率を向上することができる遊技機を提供することを目的とする。
【課題を解決するための手段】
【０００５】
請求項１に記載の発明は、遊技球を貯留する賞球タンクと、遊技球を賞球皿に供給する払出装置と、ケーシングの内部に設けられ前記賞球タンクに貯留された遊技球を前記払出装置に導く払出通路と、前記ケーシングの内部に設けられ前記賞球タンクに貯留された遊技球を前記払出装置に導くことなく排出する球抜通路と、前記ケーシングに設けられ前記賞球タンクに貯留された遊技球を前記払出通路又は前記球抜通路のいずれかに振り分ける切換部材と、を有する遊技機であって、前記切換部材は、第１回動停止位置と第２回動停止位置との間の往復移動が可能となるように前記ケーシングに設けられた回動軸の軸回りを回動可能に設けられ、前記第１回動停止位置で前記賞球タンクに貯留された遊技球を前記払出通路に導き、前記第２回動停止位置で前記賞球タンクに貯留された遊技球を前記球抜通路に導く切換弁と、前記ケーシングの内部に直線方向に沿って移動可能となるように設けられ、所定の移動停止位置で停止した状態で前記切換弁と係合して前記切換弁を前記第１回動停止位置で停止させ、前記移動停止位置から直線方向に沿って移動して前記切換弁との係合状態を解除することにより前記切換弁の前記第１回動停止位置から前記第２回動停止位置に向かう前記回動軸の軸回りの回動を許容する操作部材と、を有し、前記切換弁は、当該切換弁が前記第１回動停止位置に位置しているときに遊技球を前記払出通路に導く傾斜片と、当該切換弁が前記第１回動停止位置に位置しているときに前記移動停止位置で停止している前記操作部材と係合する係合片と、を有し、前記傾斜片及び前記係合片は、前記切換弁が前記第１回動停止位置に位置しているときに、前記ケーシングの内部に位置しており、前記操作部材は、前記切換弁が前記第１回動停止位置及び前記第２回動停止位置に位置しているときに、前記ケーシングの内部に位置していることを特徴とする。
【０００６】
請求項１に記載の発明によれば、切換弁が第１回動停止位置で停止しているときに、遊技球が払出通路に導かれ、第２回動停止位置で停止しているときに、遊技球が球抜通路に導かれる。ここで、操作部材が移動停止位置で停止している状態では、切換弁が第１回動停止位置で停止する。操作部材が移動停止位置から離れる方向に直線移動するときに、切換弁の第１回動停止位置から第２回動停止位置に向かう回動軸の軸回りの回動が可能になる。このように、操作部材の直線移動操作だけで、切換弁の各回動停止位置が容易に切り換るため、遊技球を球抜通路に導く球抜作業が容易かつ円滑になり、その作業効率を高めることができる。
【０００７】
特に、切換弁の傾斜片と係合片は、切換弁が第１回動停止位置に位置しているときに、ケーシングの内部に位置している。また、操作部材は、切換弁が第１回動停止位置及び第２回動停止位置に位置しているときに、ケーシングの内部に位置している。これにより、切換弁が第１回動停止位置に位置しているときに、切換弁の傾斜片と係合片、及び操作部材がケーシングの外部に突出することがなく、また、切換弁が第２回動停止位置に位置しているときに、操作部材がケーシングの外部に突出することがない。この結果、切換弁の傾斜片と係合片、及び操作部材に対して遊技島側からぶらさがっているコネクタ等の部品などが干渉することがなく、切換弁及び操作部材の損傷を未然に防止できる。
【０００８】
請求項２に記載の発明は、請求項１に記載の遊技機において、前記切換弁は、前記操作部材と前記係合片との係合状態が解消されたときに重力を受けて当該切換弁を前記第１回動停止位置から前記第２回動停止位置に向かって前記回動軸の軸回りに回動させる重心偏心部を有することを特徴とする。
【０００９】
請求項２に記載の発明によれば、切換弁は、操作部材と係合片との係合状態が解消されたときに、重心偏心部が重力を受けて、第１回動停止位置から第２回動停止位置に向かって回動軸の軸回りを回動する。これにより、切換弁は、操作部材と係合片との係合状態が解消されると、自動的に第２回動停止位置に到達することになり、遊技球を球抜通路へ容易に導くことができる。
【００１０】
請求項３に記載の発明は、請求項１又は２に記載の遊技機において、前記操作部材を前記移動停止位置の方向に向かって付勢する付勢部材を有し、前記切換弁は、当該切換弁が前記第２回動停止位置で停止している状態で前記操作部材と係合する係合部を有し、前記切換弁は、当該切換弁が前記第２回動停止位置で停止した状態で、前記付勢部材の付勢力により前記係合部に押圧された前記操作部材と係合していることを特徴とする。
【００１１】
請求項３に記載の発明によれば、操作部材は、付勢部材によって移動停止位置に向かって付勢されている。そして、操作部材は、切換弁が第２回動停止位置で停止した状態で、付勢部材の付勢力により係合部に押し付けられて、係合部と係合している。このように、切換弁は付勢部材の付勢力により係合部に押圧された操作部材と係合して、切換弁の第２回動停止位置で停止した状態が維持される。ここで、操作部材と係合部とは、付勢部材の付勢力により強固に係合しているため、遊技機の姿勢や向きが変化した場合でも、操作部材と係合部との係合状態が容易に解消されない。この結果、遊技球の球抜作業を確実に実行することができ、また、その作業効率を高いレベルで安定させることができる。
【発明を実施するための最良の形態】
【００１２】
次に、本発明の第１実施形態に係る遊技機について、図面を参照して説明する。なお、本実施形態では本発明を弾球遊技機の一例であるパチンコ機に適用した構成を説明する。
【００１３】
図１及び図２に示すように、第１実施形態に係るパチンコ機（遊技機）１０の前面部には、主として、外枠１２と、内枠（枠体）１４と、前面枠１６と、上皿部（賞球皿）１８と、下皿部２０と、施錠装置２２と、発射ハンドル２４と、が設けられている。
【００１４】
外枠１２は、木製の板状体を略長方形の額縁状に組立て固着したものである。内枠１４は、全体がプラスチック製で、外枠１２に対して開閉可能に軸支されている。また、内枠１４の右端中央からやや下方には、施錠装置２２が設けられている。
【００１５】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３参照）を前方から視認するべく、遊技盤２６に形成された遊技領域２８（図３参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。
【００１６】
また、前面枠１６の下方側には、上皿部１８が設けられている。この上皿部１８には、演出ボタン４０と、球貸操作部１５５と、がそれぞれ設けられている。
【００１７】
また、球貸操作部１５５には、球貸しを要求するための球貸スイッチ１５６と、カード挿入口１５７に挿入されたプリペイドカードの返却を要求するための返却スイッチ１５８と、がそれぞれ設けられている。
【００１８】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００１９】
また、下皿部２０の左右下方側には、所定の効果音を出力するための各サブスピーカ４８がそれぞれ設けられている。
【００２０】
図２に示すように、内枠１４は、外枠１２の左端に開閉可能となるように軸支されている。このため、前面扉１６は、内枠１４及び外枠１２に対して開閉可能に取り付けられた構成になり、内枠１４は、外枠１２に対して開閉可能に取り付けられた構成になる。また、内枠１４の内側面には、遊技盤２６を取り付けるための開口部（図示省略）が形成されている。これにより、遊技盤２６が開口部に取り付けられた状態で、遊技者は、遊技盤２６の遊技領域２８を前面枠１６の開口部３０を通して視認することができる。
【００２１】
図２及び図４に示すように、内枠１４の背面（裏面）側上部には、遊技球が貯留する賞球タンク２００が設けられている。この賞球タンク２００は、パチンコホールなどの島設備に設けられた遊技球管理装置（図示省略）と接続されており、必要に応じて、遊技球管理装置から賞球タンク２００に向かって遊技球が供給される。この賞球タンク２００の内部には、所定数の遊技球が貯留されている。
【００２２】
賞球タンク２００の底部には、賞球タンク２００の内部の遊技球を後述の球抜弁（切換弁、切換部材）２１２に導くための誘導路２０２の一方の端部が接続されている。誘導路２０２の他方の端部には、遊技球を払出通路２０４又は球抜通路２０６のいずれかに振り分ける遊技球振分部２０８が設けられている。遊技球振分部２０８は、全体として湾曲状に形成され、上下方向（重力方向（鉛直方向））に延びる空間部である。遊技球振分部２０８には、遊技球を後述の払出装置１６１に導くための払出通路２０４が接続されている。なお、この払出装置１６１は、主制御基板１０２及び払出制御基板１０４からの制御信号に基づいて、所定数の遊技球を上皿部１８（あるいは、パチンコ機の構成によって下皿部２０）に排出する。
【００２３】
また、遊技球振分部２０８の一部には、遊技球を払出装置１６１に導くことなく外部に排出させる球抜通路２０６が接続されている。球抜通路２０６は、球抜弁２１２が入口を閉鎖していない状態で、誘導路２０２から自由落下した遊技球が遊技球振分部２０８を通ってそのまま進入する通路である。
【００２４】
ここで、遊技球振分部２０８、払出通路２０４及び球抜通路２０６は、内枠１４の背面（裏面）側に取り付けられたケーシング２０３の内部に区画形成されている。このため、ケーシング２０３で遮断されるため、外部から遊技球振分部２０８、払出通路２０４及び球抜通路２０６に対して直接接触することはできない（不正行為防止）。
【００２５】
図４及び図５に示すように、ケーシング２０３には、遊技球を払出通路２０４又は球抜通路２０６に振り分けるための振分装置（切換部材）２１０が設けられている。振分装置２１０は、遊技球振分部２０８の近傍に設けられている。振分装置２１０は、球抜弁２１２と、スライド部材（操作部材、切換部材）２１４と、で構成されている。
【００２６】
図６及び図７に示すように、球抜弁２１２は、回動軸２１６と、回動軸２１６に接続されている傾斜片２１８と、回動軸２１６に接続され傾斜片２１８と所定の角度だけ開いた係合片２２０と、傾斜片２１８と係合片２２０との間に跨るようにして形成された重心偏心部２２２と、で構成されている。
【００２７】
回動軸２１２は、ケーシング２０３の側壁に、自身の軸回りに回動可能となるように設けられている。
【００２８】
傾斜片２１８は、全体として平板状に形成されており、球抜弁２１２が第１回動停止位置（図６、図１１及び図１２に示す状態、以下同様）にあるときに、誘導路２０２から落下して遊技球振分部２０８を通過した遊技球を衝突させて払出通路２０４に導くためのものである。傾斜片２１８は、球抜弁２１２が第１回動停止位置にあるときに、球抜通路２０６の入口を閉鎖するように作用する。
【００２９】
ここで、傾斜片２１８は、球抜弁２１２が第１回動停止位置及び第２回動停止位置（図７、図１４及び図１５に示す状態、以下同様）にあるときに、ケーシング２０３の内部に位置している。換言すれば、傾斜片２１８は、球抜弁２１２が第１回動停止位置及び第２回動停止位置にあるときに、ケーシング２０３の外部（例えば、右側）に突出するような構成をしていない。このように、傾斜片２１８は、常に、ケーシング２０３の内部に位置している。この結果、傾斜片２１８に対して、パチンコ機の島側からぶらさがっているコネクタ等の部品が干渉することがなく、傾斜片２１８の損傷を未然に防止できる。
【００３０】
係合片２２０は、全体として平板状に形成されており、球抜弁２１２が第１回動停止位置にあるときに、スライド部材２１４の上方端と係合して、球抜弁２１２が第１回動停止位置にある状態を維持するものである。係合片２２０は、平板状に形成された係合片本体２２０Ａと、係合片本体２２０Ａの先端部に形成され、球抜弁２１２が第１回動停止位置にあるときにスライド部材２１４の上方端と係合する爪部２２０Ｂと、係合片本体２２０Ａの先端部から下側に向かって大きく突出するように形成されスライド部材２１４と係合している状態でスライド部材２１４の上方端面と当接する位置決め部２２０Ｃと、を有している。球抜弁２１２が第１回動停止位置にあるときに、スライド部材２１４の内側面が爪部２２０Ｂと面接触するとともに、スライド部材２１４の上方端面が位置決め部２２０Ｃの下側端面２２１と面接触している。特に、スライド部材２１４の内側面が爪部２２０Ｂと面接触することにより、球抜弁２１２は、重心偏心部２２２による重心偏心作用を受けて、第１回動停止位置から第２回動停止位置側に向かって回動することが阻止される。また、スライド部材２１４の上方端面が位置決め部２２０Ｃの下側端面２２１と面接触することにより、後述のばね部材（付勢部材）２２６（図１２参照）の弾性力により押圧された状態のスライド部材２１４が上方停止位置で位置決めされる。このように、球抜弁２１２が第１回動停止位置に位置している状態では、球抜弁２１２は、係合片２２０の爪部２２０Ｂ及び位置決め部２２０Ｃにおいてスライド部材２１４と強固に係合した状態になっている。
【００３１】
ここで、係合片２２０は、球抜弁２１２が第１回動停止位置にあるときに、ケーシング２０３の内部に位置している。換言すれば、係合片２２０は、球抜弁２１２が第１回動停止位置にあるときに、ケーシング２０３の外部（例えば、右側）に突出するような構成をしていない。このように、係合片２２０は、球抜弁２１２が第１回動停止位置にあるときに、ケーシング２０３の内部に位置している。この結果、球抜弁２１２が第１回動停止位置にあるときに、係合片２２０に対して、パチンコ機の島側からぶらさがっているコネクタ等の部品が干渉することがなく、係合片２２０の損傷を未然に防止できる。
【００３２】
重心偏心部２２２は、傾斜片２１８と係合片２２０との間に跨るようにして形成された錘部であり、球抜弁２１２全体の重心の位置を偏心させるように機能する。すなわち、球抜弁に重心偏心部が設けられておらず、球抜弁が、回動軸と、傾斜片と、係合片と、だけで構成されている球抜弁２１２全体の重心の位置では、球抜弁は、第１回動停止位置から第２回動停止位置に向かって回動しようとしない。一方、本実施形態のように、球抜弁２１２に重心偏心部２２２が設けられており、球抜弁２１２が、回動軸２１６と、傾斜片２１８と、係合片２２０と、重心偏心部２２２と、で構成されている球抜弁２１２全体の重心の位置が偏心する（位置ずれしている）。このため、球抜弁２１２は、自重の作用（重心偏心部２２２による重心偏心作用）により、第１回動停止位置から第２回動停止位置に向かって自然に回動しようとする。このように、重心偏心部２２２は、球抜弁２１２に第１回動停止位置から第２回動停止位置に向かって自然に回動させるために、球抜弁２１２全体の重心の位置を偏心させる機能を有する。
【００３３】
ここで、重心偏心部２２２は、球抜弁２１２が第１回動停止位置にあるときに、ケーシング２０３の内部に位置している。換言すれば、重心偏心部２２２は、球抜弁２１２が第１回動停止位置にあるときに、ケーシング２０３の外部（例えば、右側）に突出するような構成をしていない。このように、重心偏心部２２２は、球抜弁２１２が第１回動停止位置にあるときに、ケーシング２０３の内部に位置している。この結果、球抜弁２１２が第１回動停止位置にあるときに、重心偏心部２２２に対して、パチンコ機の島側からぶらさがっているコネクタ等の部品が干渉することがなく、重心偏心部２２２の損傷を未然に防止できる。
【００３４】
また、重心偏心部２２２は、スライド部材２１４が係合する溝部（係合部）２２２Ａが形成されている。すなわち、球抜弁２１２が第２回動停止位置に位置している状態では、重心偏心部２２２の溝部２２２Ａとスライド部材２１４の上方端が係合している。ここで、スライド部材２１４には、ばね部材２２６（図１２参照）により弾性力が付与されているため、スライド部材２１４の端面が溝部２２２Ａを下側から上側に向かって所定の圧力で押圧する。これにより、球抜弁２１２が第２回動停止位置に位置している状態では、球抜弁２１２は、重心偏心部２２２の溝部２２２Ａにおいてスライド部材２１４と強固に係合した状態になっている。
【００３５】
また、重心偏心部２２２は、下側に湾曲した湾曲片２２２Ｂを備えている。湾曲片２２２Ｂは、球抜弁２１２が第２回動停止位置に位置しているときに、スライド部材２１４の上端面と接触可能な部位である。重心偏心部２２２に湾曲片２２２Ｂを設けることにより、球抜弁２１２が第２回動停止位置に位置しているときに、球抜弁２１２の係合片２２０を遊技球振分部２０８の内側に押し込むと、湾曲片２２２Ｂがスライド部材２１４の上端面を下側に押圧してスライド部材２１４を下側に押し下げる。そして、湾曲片２２２Ｂがスライド部材２１４の上端面を滑るようにして、球抜弁２１２が第２回動停止位置側から第１回動停止位置側に向かって回動することが可能になる。このように、球抜弁２１２が第２回動停止位置に位置しているときに、スライド部材２１４を下側に押し下げることなく、球抜弁２１２の係合片２２０を遊技球振分部２０８の内側に押し込むだけで、球抜弁２１２を第１回動停止位置に移動させることができる。
【００３６】
スライド部材２１４は、ホール関係者あるいは管理者による押圧操作に伴い、上下方向（重力方向（鉛直方向））に直線移動（直線運動）可能に設けられている。ケーシング部２０３の側壁の一部であって球抜通路２０６の入口近傍には、スライド部材２１４を出没自在に収納するための収納部屋２２４が形成されている。この収納部屋２２４には、スライド部材２１４が上下方向（重力方向（鉛直方向））に移動可能となるように収納されている。また、収納部屋２２４には、上方側に向かってスライド部材２１４に圧力を作用させるためのばね部材２２６（図１２参照）が設けられている。このため、スライド部材２１４は、常に、上方側に向かってばね部材２２６（図１２参照）の弾性力により押圧された状態となっており、球抜弁２１２が第１回動停止位置にある状態では、スライド部材２１４が上方停止位置で球抜弁２１２の係合片２２０（より具体的には、位置決め部２２０Ｃの下側端面２２１）を上方側に押圧した力学状態が成立している。また、スライド部材２１４を上方停止位置から下方に移動させる場合には、ばね部材２２６（図１２参照）を圧縮変形（縮み変形）させ、ばね部材２２６の弾性力に対抗するようにして押圧することにより実現される。
【００３７】
また、スライド部材２１４の表面には、押圧操作し易いように突出部２１４Ａが形成されている。このため、ホール関係者や管理者は、突出部２１４Ａを押圧するようにして、スライド部材２１４を下方向に押し下げることにより、スライド部材２１４の下方向への移動が容易かつ円滑になる。
【００３８】
ここで、スライド部材２１４は、収納部屋２２４に収納されており、上下方向に沿って直線移動する構成であるため、球抜弁２１２が第１回動停止位置及び第２回動停止位置にあるときに、ケーシング２０３の内部に位置している。換言すれば、スライド部材２１４は、球抜弁２１２が第１回動停止位置及び第２回動停止位置にあるときに、ケーシング２０３の外部（例えば、右側）に大きく突出するような構成をしていない。また、スライド部材２１４は、上下方向に沿って直線移動する構成であるため、スライド部材２１４の直線移動時にケーシング２０３の外部に突出することがない。このように、スライド部材２１４は、常に、ケーシング２０３の内部に位置している。この結果、スライド部材２１４に対して、パチンコ機の島側からぶらさがっているコネクタ等の部品が干渉することがなく、スライド部材２１４の損傷を未然に防止できる。また、スライド部材２１４の上下方向の移動距離を短くしても、球抜弁２１２を回動させることができる。この結果、スライド部材２１４と外部の部品との衝突を原因としたスライド部材２１４の破損を防止できるとともに、球抜弁２１２を確実に回動させることができる。
【００３９】
スライド部材２１４が下方向に最大限に移動すると、下方停止位置で停止する。スライド部材２１４が下方停止位置で停止した状態では、スライド部材２１４と球抜弁２１２の爪部２２０Ｂ及び位置決め部２２０Ｃとの係合状態が解消される。これにより、球抜弁２１２は、重心偏心部２２２による重力の作用を受けて、回動軸２１６の軸回りを第１回動停止位置から第２回動停止位置に向かって回動することが可能になる。
【００４０】
球抜弁２１２が重心偏心部２２２による重力の作用を受けて回動軸２１６の軸回りを第１回動停止位置から第２回動停止位置に向かって回動すると、最終的に、球抜弁２１２は、第２回動停止位置に到達する。球抜弁２１２が第２回動停止位置に到達した状態では、球抜弁２１２の傾斜片２１８が球抜通路２０６の入口を開放する。これにより、誘導路２０２を転がってきた遊技球は、重力の作用を受けて、誘導路２０２から鉛直下方に自由落下する。このため、球抜通路２０６の入口が開放されている状態では、遊技球は、遊技球振分部２０８から払出通路２０４に進入することなく、遊技球振分部２０８から球抜通路２０６に進入することになる。
【００４１】
球抜弁２１２が第２回動停止位置に到達した状態で、スライド部材２１４に対する押圧力を解除すると、スライド部材２１４は、ばね部材２２６（図１２参照）の弾性力により上方側に移動する。そして、スライド部材２１４は、球抜弁２１２の重心偏心部２２２に形成された溝部２２２Ａにおいて球抜弁２１２の重心偏心部２２２と係合する。このとき、スライド部材２１４から重心偏心部２２２の溝部２２２Ａに対して下側から上側に向かって所定の圧力が作用するため、スライド部材２１４と球抜弁２１２の重心偏心部２２２との係合状態が強固になる。
【００４２】
なお、本実施形態では、スライド部材２１４が上下方向（重力方向）に沿って直線移動する構成を例示したが、この構成に限られるものではなく、例えば、スライド部材２１４が左右方向に沿って直線移動してもよい。すなわち、スライド部材２１４は、一方の停止位置において第１回動停止位置にある球抜弁２１２の係合片２２０の爪部２２０Ｂと係合して球抜弁２１２を第１回動停止位置で位置決めし、他方の停止位置において第２回動停止位置にある球抜弁２１２の重心偏心部２２２の溝部２２２Ａと係合して球抜弁２１２を第２回動停止位置で位置決めできるように構成されていれば、スライド部材２１４の移動方向は限定されない。
【００４３】
さらに、図１に示すように、パチンコ機１０の正面左側には、球貸装置１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００４４】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数（貸出金額）に対応する個数が引かれて、遊技球（貸球）が払出装置１６１から上皿部１８に案内される。このとき、例えば、プリペイドカードの残り度数が減算されて「０」となった場合には、カード挿入口１５７から自動的にプリペイドカードが返却される。
【００４５】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額（貸出金額）に対応する個数が引かれて、遊技球（貸球）が払出装置１６１から上皿部１８に案内される。
【００４６】
次に、遊技盤２６の表面構造について説明する。
【００４７】
図２及び図３に示すように、遊技盤２６は、内枠１４に保持されるとともに、裏機構盤によりその背面側が覆われている。遊技盤２６には、遊技盤２６の表面に設けられた外レール５０と内レール５２とにより略円形状の遊技領域２８が形成されている。遊技領域２８の内部には、主として、始動口５６Ｂと、センター役物６４と、ワープ入球口５８と、多数の障害釘６０等と、がそれぞれ配設されている。
【００４８】
センター役物６４は、遊技領域２８の略中央部に配置されており、主として、演出図柄表示装置（図柄表示装置）６２と、ランプ類６６と、を備えている。
【００４９】
演出図柄表示装置６２は、主制御基板１０２（図８参照）やサブ制御基板１０６（図８参照）からの制御信号に基づいて表示制御されており、略長方形状の表示面（表示領域）６２Ａを有している。この表示面６２Ａ上には、特別図柄の演出図柄が表示される。具体的には、演出図柄表示装置６２の表示面６２Ａ上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００５０】
演出図柄表示装置６２は、遊技球が始動口５６Ｂに入球することにより、その表示面の表示領域に表示される各演出図柄をそれぞれ変動させて停止表示させるものである。そして、例えば、演出図柄が「７、７、７」の３桁同一図柄で揃って停止表示（確定表示）すると、変動入賞装置８０に配設された大入賞装置８４の大入賞口８６が開放される。本実施形態のパチンコ機１０では始動口５６Ｂに遊技球が入球すると、各演出図柄がそれぞれ変動され、演出図柄が３桁同一図柄で揃うことにより、「大当り」という特定価値を付与するものである。
【００５１】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００５２】
確変大当り及び通常大当りは、比較的多くのラウンド数（例えば、１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば、２６秒間）が経過したときに大入賞口８６が閉じられて１ラウンドが終了する。
【００５３】
また、確率変動状態は、大当り（確変大当り及び通常大当りの２種類の大当りを意味する）に移行する確率が予め定められた高確率となる状態である。また、開放時間延長状態は、始動口５６Ｂの開放時間が通常よりも延長される状態である。例えば、通常の開放時間は、約０．１秒間であるのに対して、開放時間延長状態では、約４秒間に延長される。なお、始動口５６Ｂは、普通図柄の抽選に当選することにより開放するもので、普通電動役物として機能する。
【００５４】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ始動口５６Ｂの開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ始動口５６Ｂの開放延長機能が作動する時短遊技状態となる。
【００５５】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００５６】
また、図３に示すように、遊技領域２８の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００５７】
ここで、確変大当りした場合では、７セグメント表示器７０には、予め定められた識別図柄（例えば、奇数の数字からなる確変大当り図柄）が停止表示される。また、通常大当りした場合では、７セグメント表示器７０には、予め定められた別の識別図柄（例えば、偶数の数字からなる通常大当り図柄）が停止表示される。
【００５８】
また、演出図柄表示装置６２の左側には、普通図柄作動ゲート７８が配置されている。この普通図柄作動ゲート７８の内部には、ゲートスイッチ１２４（図８参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００５９】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、大入賞口８６が開放状態となる。また、２個の普通図柄表示ＬＥＤ７６が予め定められた表示態様（当り図柄）で停止表示されると、普通図柄当りが発生し、始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００６０】
始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図８参照）と、翼片部材５６Ａを作動させるための始動口ソレノイド１３０（図８参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００６１】
変動入賞装置８０は、始動口５６Ｂの下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図８参照）と、入賞球を検知するカウントスイッチ１２６（図８参照）と、を備えている。
【００６２】
また、センター役物６４の左側下方部には、風車６３が配置されている。さらに、遊技領域の左側下方部及び右側下方部には、一対のサイドランプ９０がそれぞれ配置されている。
【００６３】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００６４】
次に、パチンコ機１０を構成する電子制御装置について説明する。
【００６５】
図８乃至図１０に示すように、電子制御装置は、主制御基板１０２と、払出制御基板１０４と、サブ制御基板１０６と、発射制御基板１０８と、を備えている。
【００６６】
主制御基板１０２は、ＣＰＵ１０２Ａと、ＲＯＭ１０２Ｂと、を備えている。主制御基板１０２のＣＰＵ１０２Ａは、ＲＯＭ１０２Ｂに記憶されたデータに基づいて、始動口ソレノイド１３０、大入賞口ソレノイド１３２、図柄表示装置１３４及びサブ制御基板１０６をそれぞれ制御する。また、主制御基板１０２のＣＰＵ１０２Ａは、遊技全体を司り主として当否判定などの遊技状態を判断するものである。
【００６７】
特に、ＣＰＵ１０２Ａは、始動口５６Ｂへの遊技球の入球を契機として、大当り抽選処理（特別遊技抽選処理）を実行し、任意の乱数（特別図柄当否判定乱数）を用いて当否を判定する機能を備えている。また、特別図柄の当否判定の実行に伴って、ＣＰＵ１０２Ａは、特別図柄（識別図柄）の変動パターン（変動時間）を決定する機能も備えている。
【００６８】
この識別図柄の変動パターンは、演出図柄表示装置６２に表示される各演出図柄の演出パターン（遊技演出）に対応するもので、ＣＰＵ１０２Ａが行う「識別図柄の変動パターンの決定」は、「演出図柄の演出パターン（遊技演出）の決定」に相当する。そして、特別図柄（識別図柄）の変動パターン（演出図柄の演出パターン）が決定されると、７セグメント表示器７０で特別図柄（識別図柄）の変動表示が開始されるとともに、演出図柄表示装置６２で演出図柄の変動表示が開始され、決定された変動パターンにより特定される変動時間が経過すると、特別図柄および演出図柄が停止表示され、その停止表示された演出図柄の図柄組み合わせ態様により、特別図柄の当否判定結果（大当り抽選結果）が遊技者に報知される。なお、演出図柄表示装置６２は、遊技盤２６の表面（盤面）略中央に、遊技者の視野に入り易い状態で配置される。一方、７セグメント表示器７０は、遊技盤２６の表面（盤面）の端部（本実施形態では盤面左側端部）に、遊技者の視野に入り難い状態で配置される。このことから、遊技者は演出図柄表示装置６２の表示内容に注目して遊技を行うのが一般的である。
【００６９】
そして、ＣＰＵ１０２Ａは、上述した演出図柄の変動表示及び停止表示の制御を行うサブ制御基板１０６、及び遊技盤面に設けられた各種入賞口に遊技球が入球することで発生する賞球の払い出し制御を行う払出制御基板１０４を直接的に制御する。また、主制御基板１０２のＣＰＵ１０２Ａは、演出表示基板１１０、アンプ基板１１２、装飾駆動基板１１４及び演出ボタン基板１１６を、サブ制御基板１０６を介して間接的に制御する。
【００７０】
主制御基板１０２のＲＯＭ１０２Ｂには、ＣＰＵ１０２Ａにより実行される遊技全体の制御を実現するためのプログラムが記憶されている。
【００７１】
また、主制御基板１０２は、電源基板１０９と接続されている。パチンコ機１０の作動を開始（電源オン）するとき、電源基板１０９から主制御基板１０２及び各制御基板１０４、１０６、１０８に対して電圧が印加される。また、パチンコ機１０の作動を停止（電源オフ）するときは、電源基板１０９から主制御基板１０２及び各制御基板１０４、１０６、１０８に対する電圧の印加が解除される。
【００７２】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００７３】
また、主制御基板１０２は、中継端子板１２８を介して、始動口ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００７４】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００７５】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２を備えた払出装置１６１と払出スイッチ１６４とにそれぞれ電気的に接続されている。さらに、払出制御基板１０４は、主制御基板１０２と発射制御基板１０８とにそれぞれ電気的に接続されている。
【００７６】
払出モータ１６２は、主制御基板１０２及び払出制御基板１０４から遊技球の払出に関する制御信号を受けて駆動する。払出モータ１６２が駆動すると、払出通路２０４を移動してきた遊技球が上皿部１８に供給される。なお、上皿部１８に供給される遊技球の個数は、主制御基板１０２及び払出制御基板１０４から遊技球の払出に関する制御信号により特定されており、この特定された個数の遊技球が排出されるように払出モータ１６２が駆動する。上皿部１８に供給された遊技球は、下皿部２０に移動していき、最終的には、遊技盤２６上の遊技領域２８に打ち出される。
【００７７】
なお、払出モータ１６２の駆動は、電源基板１０９が電源オン（電源ＯＮ）の状態で可能になるが、電源基板１０９が電源オフ（電源ＯＦＦ）の状態でも、図示しないバックアップ電源部により、主制御基板１０２、払出制御基板１０４及び払出モータ１６２を作動できるようにしてもよい。
【００７８】
サブ制御基板１０６は、演出表示基板１１０と、アンプ基板１１２と、装飾駆動基板１１４と、演出ボタン基板１１６と、にそれぞれ電気的に接続されている。
【００７９】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００８０】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。また、ＲＯＭ１０６Ｂには、各基板の制御に必要なデータが記憶されている。
【００８１】
図９に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示及び停止表示される演出図柄のデータ（画像データ）が記憶されている。なお、演出図柄表示装置６２は、演出表示装置１６６の一実施形態である。
【００８２】
また、アンプ基板１１２には、所定の効果音を出力する各種スピーカ１７０（４８）が電気的に接続されている。なお、サブスピーカ４８は、各種スピーカ１７０の一実施形態である。
【００８３】
また、装飾駆動基板１１４には、各種ＬＥＤ・ランプ１７２（６６）が電気的に接続されている。また、装飾駆動基板１１４は、サブ制御基板１０６からの制御信号を受けて遊技の装飾に関する制御を行うものである。また、演出ボタン基板１１６には、操作スイッチ１７４（４０）が電気的に接続されている。なお、ランプ類６６は、各種ＬＥＤ・ランプ１７２の一実施形態である。また、演出ボタン４０は、操作スイッチ１７４の一実施形態である。
【００８４】
図１０に示すように、発射制御基板１０８には、発射駆動基板１７８を介して、発射モータ１８０と、発射停止スイッチ１８２と、角度センサ１８３と、タッチスイッチ１８４と、がそれぞれ電気的に接続されている。角度センサ１８３により発射ハンドル２４の回動角度（回動量）が検知された結果が発射駆動基板１７８を介して発射制御基板１０８に対して出力され、発射制御基板１０８は、この検知結果に基づいて発射モータ１８０の駆動制御を発射駆動基板１７８を介して実行する。この結果、遊技球の発射強度を調節することが可能になる。また、発射停止スイッチ１８２がオン操作されると、発射制御基板１０８に対して遊技球発射停止に関する発射停止信号が出力され、発射制御基板１０８は発射停止信号を受けて発射モータ１８０の駆動を停止する。また、発射停止スイッチ１８２がオフ操作されると、発射制御基板１０８に対して遊技球を発射させる発射信号が出力され、発射制御基板１０８は発射信号を受けて発射モータ１８０を駆動する。これにより、遊技球の発射又は発射停止が制御されている。このようにして、上皿部１８に払い出された遊技球は、下皿部２０を経由した後、順次、遊技領域２８に打ち出されていく。さらに、発射制御基板１０８には、球送りソレノイド１８６が電気的に接続されている。
【００８５】
次に、第１実施形態に係る機のパチンコ機１０の作用及び効果について説明する。
【００８６】
図１１及び図１２に示すように、パチンコ機１０がパチンコホールの島設備に設置された状態では、球抜弁２１２が第１回動停止位置で位置決めされている。球抜弁２１２が第１回動停止位置で位置決めされた状態では、球抜弁２１２の傾斜片２１８が球抜通路２０６の入口を閉鎖している。このため、賞球タンク２００から誘導路２０２を移動してきた遊技球は、誘導路２０２から自由落下するが、球抜弁２１２の傾斜片２１８により遮られて球抜通路２０６の内部には進入せず、払出通路２０４に導かれる。すなわち、誘導路２０２から自由落下した遊技球は、傾斜片２１８に衝突して、そのまま払出通路２０４に進入する。
【００８７】
払出通路２０４に進入した遊技球は、払出通路２０４を移動していき、やがて払出装置１６１に到達する。そして、主制御基板１０２及び払出制御基板１０４からの遊技球の払出しに関する制御信号に基づいて払出モータ１６２が駆動され、遊技球は、上皿部１８に供給される。上皿部１８に供給された遊技球は、下皿部２０に移動していき、やがて遊技領域２８に打ち出される。
【００８８】
ここで、球抜弁２１２が第１回動停止位置にある状態では、球抜弁２１２の係合片２２０とスライド部材２１４とが係合している状態になっているため、球抜弁２１２は、重心偏心部２２２による重力の作用を受けた場合でも、第１回動停止位置から第２回動停止位置に向かって回動軸２１６の軸回りに回動しない。すなわち、球抜弁２１２が第１回動停止位置にある状態では、スライド部材２１４がばね部材２２６の弾性力により常に上方向に押し上げられた状態になっているため、スライド部材２１４の上方端面が球抜弁２１２の係合片２２０の位置決め部２２０Ｃの下側端面２２１を上側に向かって押圧する。なお、この状態では、スライド部材２１４は、上方停止位置に位置している。
【００８９】
また同時に、スライド部材２１４の内側面が球抜弁２１２の係合片２２０の爪部２２０Ｂと面接触する。すなわち、球抜弁２１２は、重心偏心部２２２による自重の影響により、第１回動停止位置から第２回動停止位置に向かって回動軸２１６の軸回りを回動しようとして、球抜弁２１２の係合片２２０の爪部２２０Ｂがスライド部材２１４の内側面を横方向（裏面側から見て右方向、あるいは水平方向）に向かって押圧するが、スライド部材２１４が壁となって球抜弁２１２の回動が阻止される。
【００９０】
このように、スライド部材２１４は、球抜弁２１２の係合片２２０の位置決め部２２０Ｃの下側端面２２１に対して上方向の押圧力を作用させると同時に、球抜弁２１２の係合片２２０の爪部２２０Ｂから横方向の押圧力に受けた状態になる。これにより、スライド部材２１４と球抜弁２１２とは、相互に異なる方向の圧力を作用させる関係になり、一方が他方によって位置決めされる力学状態になる。この結果、球抜弁２１２は、重心偏心部２２２による自重の影響を受けるものの、第１回動停止位置において位置決めされて停止した状態が維持される。
【００９１】
さらに、球抜弁２１２が第１回動停止位置にある状態では、傾斜片２１８、重心偏心部２２２及び係合片２２０がケーシング２０３の内部に位置しており、ケーシング２０３の外部に突出することがないため、傾斜片２１８、重心偏心部２２２及び係合片２２０に対して、パチンコ機の島設備側の部品（例えば、コネクタなど）が接触することがない。この結果、球抜弁２１２が第１回動停止位置にある状態では、パチンコ機の島設備側の部品（例えば、コネクタなど）が接触することによる傾斜片２１８、重心偏心部２２２及び係合片２２０の損傷を防止できる。また同様にして、球抜弁２１２が第１回動停止位置にある状態では、スライド部材２１４がケーシング２０３の内部に位置しており、ケーシング２０３の外部に突出することがないため、スライド部材２１４に対して、パチンコ機の島設備側の部品（例えば、コネクタなど）が接触することがない。この結果、球抜弁２１２が第１回動停止位置にある状態では、島設備側の部品（例えば、コネクタなど）が接触することによるスライド部材２１４の損傷を防止できる。
【００９２】
一方、パチンコ機１０をパチンコホールの島設備から取り出す場合、あるいはメンテナンス作業を行う場合など、パチンコ機１０の内部から遊技球を排出させる必要性が生じることもある。
【００９３】
この場合には、図１３に示すように、ホール関係者あるいは管理者などがスライド部材２１４を上方停止位置から下方向に向かって押圧する。スライド部材２１４を下方向に向かって押圧する押圧力がばね部材２２６の弾性力よりも大きな場合には、スライド部材２１４は、ばね部材２２６の弾性力に対抗する形で下方向に向かって移動する。
【００９４】
スライド部材２１４が上方停止位置から下方向に向かって移動していくと、スライド部材２１４と球抜弁２１２との係合状態が解消される。すなわち、スライド部材２１４の上端部が係合片２２０の爪部２２０Ｂ上を滑るようにして移動していくため、スライド部材２１４の内側面と球抜弁２１２の係合片２２０の爪部２２０Ｂとが非接触になり、両者の係合が解除される。
【００９５】
スライド部材２１４と球抜弁２１２との係合状態が解消されると、球抜弁２１２は、重心偏心部２２２が錘部として機能することによる自重の影響を受けて、第１回動停止位置から第２回動停止位置に向かって遊技盤２６の裏面側から見て反時計方向に回動軸２１６の軸回りを回動する。そして、球抜弁２１２は、最終的に、第２回動停止位置に到達する。
【００９６】
図１４及び図１５に示すように、球抜弁２１２が第２回動停止位置に到達した状態では、球抜弁２１２の傾斜片２１８が球抜通路２０６の入口を開放する。これにより、賞球タンク２００から誘導路２０２を移動してきた遊技球は、誘導路２０２から自由落下して、球抜通路２０６の内部に進入する。なお、球抜通路２０６の入口が開放している状態では、誘導路２０２から自由落下した遊技球は、遊技球振分部２０８を通過ずるが、払出通路２０４に進入することはなく、そのまま鉛直下方の球抜通路２０６に進入することになる。球抜通路２０６に進入した遊技球は、払出装置１６１を経由することなく、パチンコ機１０の外部に排出される。これにより、パチンコ機１０を電気的に作動させることなく、パチンコ機１０の内部の遊技球を全て外部に排出させることができる。
【００９７】
ここで、球抜弁２１２が第２回動停止位置に到達した状態でスライド部材２１４に対して作用させていた下方向の押圧力を解除すると、スライド部材２１４は、ばね部材２２６の弾性力により押し上げられる。これにより、スライド部材２１４は、上方向に移動する。スライド部材２１４が上方向に移動していくと、やがて、スライド部材２１４の上方端が球抜弁２１２の重心偏心部２２２の溝部２２２Ａに係合する。このとき、スライド部材２１４にはばね部材２２６から常に上方向に向かって所定の弾性力が付与されているため、スライド部材２１４の上端部は、常に、球抜弁２１２の重心偏心部２２２の溝部２２２Ａを下方向から上方向に向かって押圧した状態になる。この結果、スライド部材２１４と球抜弁２１２との係合状態が強固により、球抜弁２１２の第２回動停止位置での位置決めが約束される。
【００９８】
さらに、球抜弁２１２が第２回動停止位置にある状態では、スライド部材２１４がケーシング２０３の内部に位置しており、ケーシング２０３の外部に突出することがないため、スライド部材２１４に対して、パチンコ機の島設備側の部品（例えば、コネクタなど）が接触することがない。この結果、球抜弁２１２が第２回動停止位置にある状態では、島設備側の部品（例えば、コネクタなど）が接触することによるスライド部材２１４の損傷を防止できる。また、スライド部材２１４が収納部屋２２４の内部を上下方向に移動する時においても、スライド部材２１４がケーシング２０３の内部に位置しており、ケーシング２０３の外部に突出することがないため、スライド部材２１４に対して、パチンコ機の島設備側の部品（例えば、コネクタなど）が接触することがない。この結果、スライド部材２１４が収納部屋２２４の内部を上下方向に移動する時においても、島設備側の部品（例えば、コネクタなど）が接触することによるスライド部材２１４の損傷を未然に防止できる。
【００９９】
次に、パチンコ機１０を使用する場合には、球抜弁２１２を第２回動停止位置から第１回動停止位置に向かって回動軸２１６の軸回りに回動させ、第１回動停止位置で停止させる必要がある。この場合には、スライド部材２１４の上方端と球抜弁２１２の重心偏心部２２２の溝部２２２Ａとの係合状態を解消させる必要があるため、スライド部材２１４を下方向に押圧操作する。これにより、スライド部材２１４は、ばね部材２２６の弾性力に対抗する形で下方向に移動していき、スライド部材２１４の上方端と球抜弁２１２の重心偏心部２２２の溝部２２２Ａとの係合状態が解消される。そして、球抜弁２１４を遊技球振分部２０８の内側に押し込む。これにより、球抜２１２は、第２回動停止位置から第１回動停止位置に向かって遊技盤２６の裏面側からみて時計方向に回動軸２１６の軸回りを回動する。やがて、球抜弁２１２は、第１回動停止位置に到達し、その後、スライド部材２１４に対して下方向の押圧操作を解除する。この結果、スライド部材２１４がばね部材２２６の弾性力に押されて上方向に移動し、上述した通り、スライド部材２１４と球抜弁２１２の係合片２２０との係合状態が再度成立する。
【０１００】
特に、重心偏心部２２２には湾曲片２２２Ｂが設けられているため、球抜弁２１２が第２回動停止位置に位置しているときに、球抜弁２１２の係合片２２０を遊技球振分部２０８の内側に押し込むと、湾曲片２２２Ｂがスライド部材２１４の上端面を下側に押圧してスライド部材２１４を下側に押し下げる。そして、湾曲片２２２Ｂがスライド部材２１４の上端面を滑るようにして、球抜弁２１２が第２回動停止位置側から第１回動停止位置側に向かって回動する。このように、球抜弁２１２が第２回動停止位置に位置しているときに、スライド部材２１４を下側に押し下げることなく、球抜弁２１２の係合片２２０を遊技球振分部２０８の内側に押し込むだけで、球抜弁２１２を第１回動停止位置に移動させることができる。特に、重心偏心部２２２に湾曲片２２２Ｂを設けることにより、湾曲片２２２Ｂとスライド部材２１４の上端面との摩擦力が低下するため、球抜弁２１２の回動動作を容易にすることができる。
【０１０１】
以上のように、第１実施形態のパチンコ機１０によれば、スライド部材２１４の直線移動操作だけで、球抜弁２１２の各回動停止位置を容易に切替えることができるため、特に、遊技球を球抜通路２０６に導く球抜作業が容易かつ円滑になり、その作業効率も高めることができる。
【０１０２】
特に、払出通路２０４と球抜通路２０６の切換作業がスライド部材２１４を上下操作するだけで実現できるため、従来技術のパチンコ機のようにピンが不要になるとともに、球抜弁２１２の切換操作を格段に容易なものにすることができる。また、パチンコ機１０の左右方向（水平方向）に球抜弁２１２を引き出して突出させることがないため、パチンコ機１０の左右方向に大きなスペースが無くても、スライド部材２１４を操作することができる。
【０１０３】
また、球抜弁２１２には重心偏心部２２２が設けられているため、球抜弁２１２を重心偏心部２２２の錘部としての作用を利用することにより、球抜弁２１２が第１回動停止位置から第２回動停止位置に向かって回動軸の軸回りを自動的に回動する。このように、スライド部材２１４を上方停止位置から下方に直線移動させるだけで、球抜弁２１２を自動的（自然）に回動軸回りに回動させることができるため、球抜弁２１２の第１回動停止位置から第２回動停止位置に向かう回動操作を容易に実行できる。
【０１０４】
さらに、球抜弁２１２が第１回動停止位置に位置している状態では、スライド部材２１４と球抜弁２１２の係合片２２０の位置決め部２２０Ｃ（爪部２２０Ｂ）との間に所定の圧力を作用させて強固に係合している。また、球抜弁２１２が第２回動停止位置に位置している状態では、スライド部材２１４と球抜弁２１２の重心偏心部２２２の溝部２２２Ａとの間に所定の圧力を作用させて強固に係合している。これらのように、球抜弁２１２が第１回動停止位置及び第２回動停止位置に位置している状態では、それぞれ強固に位置決めされた状態になっているため、パチンコ機１０の姿勢や向きが変化した場合（あるいは不安定な場合）でも、球抜弁２１２がそれぞれの回動停止位置からずれ動くことがない。この結果、遊技球の払出通路２０４又は球抜通路２０６への振分作業（払出作業及び球抜作業）を確実に実行することができ、また、それらの作業効率を高いレベルで安定させることができる。
【０１０５】
特に、球抜弁２１２による払出通路２０４と球抜通路２０６の切替えを、手動によるスライド部材２１４の直線方向の移動だけで実現しているため、例えば、パチンコ機１０の電源基板１０９をオフ（電源ＯＦＦ）にした状態でも、払出通路２０４と球抜通路２０６の切替えが可能になる。このため、パチンコ機１０の電源を落として、パチンコホールの島設備から取り外すなどの場合に、パチンコ機１０の球抜作業を実行することができ、利便性を高めることができる。また、球抜弁２１２による払出通路２０４と球抜通路２０６の切替えを、手動によるスライド部材２１４の直線方向の移動だけで実現しているため、電気的な部品が不要になり、コスト高を抑制することができる。
【０１０６】
次に、本発明の第２実施形態のパチンコ機について説明する。
なお、本発明の第１実施形態のパチンコ機の構成と同じ構成には同符号を付し、その説明を適宜省略する。
【０１０７】
図１６乃至図１９に示すように、球抜弁２１２の係合片２２０の位置決め部２２０Ｃには、払出確認スイッチ１１１の端子１１１Ａが取り付けられている。また、球抜弁２１２の重心偏心部２２２の溝部２２２Ａには、球抜確認スイッチ１１３の端子１１３Ａが取り付けられている。さらに、スライド部材２１４の上方端には、払出確認スイッチ１１１又は球抜確認スイッチ１１３の各端子１１１Ａ、１１３Ａと接続する接続端子２１４Ｂが取り付けられている。
【０１０８】
図１８に示すように、球抜弁２１２が第１回動停止位置に位置している状態で、かつスライド部材２１４の上方端と球抜弁２１２の係合片２２０とが係合している状態では、スライド部材２１４の上方端にある接続端子２１４Ｂと球抜弁２１２の係合片２２０の位置決め部２２０Ｃにある払出確認スイッチ１１１の端子１１１Ａとが電気的に接続された状態になる。また、図１９に示すように、球抜弁２１２が第２回動停止位置に位置している状態で、かつスライド部材２１４の上方端と球抜弁２１２の重心偏心部２２２と係合している状態では、スライド部材２１４の上方端の接続端子２１４Ｂと球抜弁２１２の重心偏心部２２２の溝部２２２Ａにある球抜確認スイッチ１１３の端子１１３Ａとが電気的に接続された状態になる。
【０１０９】
図１７に示すように、払出確認スイッチ１１１及び球抜確認スイッチ１１３Ａは、主制御基板１０２に対して電気的に接続されており、スライド部材２１４の上方端の接続端子２１４Ｂと球抜弁２１２の払出確認スイッチ１１１の端子１１１Ａとが電気的に接続された状態になると、払出確認スイッチ１１１が通電状態（電源オン（電源ＯＮ））になる。この状態では、払出確認スイッチ１１１から主制御基板１０２に対して遊技球の払出可能状態を示す制御信号が出力される。
【０１１０】
また、スライド部材２１４の上方端の接続端子２１４Ｂと球抜弁２１２の球抜確認スイッチ１１３の端子１１３Ａとが電気的に接続された状態になると、球抜確認スイッチ１１３が通電状態（電源オン（電源ＯＮ））になる。この状態では、球抜確認スイッチ１１３から主制御基板１０２に対して遊技球の球抜状態を示す制御信号が出力される。
【０１１１】
払出確認スイッチ１１１又は球抜確認スイッチ１１３から主制御基板１０２に対して接続状態の制御信号が出力された場合には、パチンコホール側のコンピュータ１１５（図１７参照）に対して確認信号が出力される。すなわち、払出確認スイッチ１１１から主制御基板１０２に対して払出状態の制御信号が出力された場合には、パチンコホール側のコンピュータ１１５に対して払出確認信号が出力される。また、球抜確認スイッチ１１３から主制御基板１０２に対して球抜状態の制御信号が出力された場合には、パチンコホール側のコンピュータ１１５に対して球抜確認信号が出力される。これにより、現在、払出確認スイッチ１１１又は球抜確認スイッチ１１３が作動しているのか否か、換言すれば、球抜弁２１２が第１回動停止位置又は第２回動停止位置のいずれに位置しているのかをホール側のコンピュータ１１５で特定することができる。
【０１１２】
この結果、主制御基板１０２からの遊技進行に関する制御信号が出力されているのにもかかわらず、球抜確認スイッチ１１３から主制御基板１０２に対して球抜状態の制御信号が出力された場合には、エラーとなり、これをホール関係者や管理者に報知することができる。特に、パチンコ遊技の最中にもかかわらず、球抜弁２１２を操作して遊技球の排出を行う不正行為が生じた場合には、早急に、不正行為が行われているパチンコ機を特定することができ、早期の対応が可能になる。
【０１１３】
次に、本発明の第３実施形態のパチンコ機について説明する。
なお、本発明の第１実施形態のパチンコ機の構成と同じ構成には同符号を付し、その説明を適宜省略する。
【０１１４】
図２０及び図２１に示すように、スライド部材２１４は、例えば、鉄、アルミニウムなどの金属で構成されている。また、球抜弁２１２の係合片２２０の位置決め部２２０Ｃ（あるいは爪部２２０Ｂ）には、磁石２３０が取り付けられている。さらに、球抜弁２１２の重心偏心部２２２の溝部２２２Ａには、磁石２３２が取り付けられている。
【０１１５】
球抜弁２１２が第１回動停止位置に位置している状態で、かつスライド部材２１４の上方端と球抜弁２１２の係合片２２０とが係合している状態では、球抜弁２１２の係合片２２０の位置決め部２２０Ｃ（あるいは爪部２２０Ｂ）に取り付けられている磁石２３０とスライド部材２１４とが磁力により強固に引き合っている。また、球抜弁２１２が第２回動停止位置に位置している状態で、かつスライド部材２１４の上方端と球抜弁２１２の重心偏心部２２２とが係合している状態では、球抜弁２１２の重心偏心部２２２の溝部２２２Ａに取り付けられている磁石２３２とスライド部材２１４とが磁力により強固に引き合っている。
【０１１６】
なお、球抜弁２１２の係合片２２０と重心偏心部２２２を金属で構成し、スライド部材２１４に磁石を取り付ける構成でもよい。
【０１１７】
第３実施形態のパチンコ機によれば、図２０に示すように、球抜弁２１２が第１回動停止位置に位置している状態では、スライド部材２１４の上方端と球抜弁２１２の係合片２２０とが相互に異なる方向に向かう圧力を作用させて強固に係合しているが、さらに磁石２３０の磁力による引付力が付加される。これにより、球抜弁２１２が第１回動停止位置に位置している状態を安定させることができる。この結果、パチンコ機１０の姿勢が変わったり、球抜弁２１２を強引に回動操作させようとする不正行為を受けた場合でも、球抜弁２１２の回動を阻止することができる。
【０１１８】
また、図２１に示すように、球抜弁２１２が第２回動停止位置に位置している状態では、スライド部材２１４の上方端と球抜弁２１２の重心偏心部２２２の溝部２２２Ａとが相互に圧力を作用させて強固に係合しているが、さらに磁石２３２の磁力による引付力が付加される。これにより、球抜弁２１２が第２回動停止位置に位置している状態を安定させることができる。この結果、パチンコ機１０の姿勢が変わったり、球抜弁２１２を強引に回動操作させようとする不正行為を受けた場合でも、球抜弁２１２の回動を阻止することができる。
【図面の簡単な説明】
【０１１９】
【図１】本発明の第１実施形態に係る遊技機の正面図である。
【図２】本発明の第１実施形態に係る遊技機の前面枠、内枠及び外枠が開いた状態の斜視図である。
【図３】本発明の第１実施形態に係る遊技機の内枠に取り付けられる遊技盤の正面図である。
【図４】本発明の第１実施形態に係る遊技機の内枠を裏面（背面）方向から見た斜視図である。
【図５】本発明の第１実施形態に係る遊技機の内枠が外枠に取り付けられた状態の裏面方向から見た構成図である。
【図６】本発明の第１実施形態に係る遊技機の切換弁が第１回動停止位置で停止している状態を部分的に拡大した説明図である。
【図７】本発明の第１実施形態に係る遊技機の切換弁が第２回動停止位置で停止している状態を部分的に拡大した説明図である。
【図８】本発明の第１実施形態に係る遊技機の電子制御装置の一部の構成を示すブロック図である。
【図９】本発明の第１実施形態に係る遊技機の電子制御装置を構成するサブ制御基板を説明するためのブロック図である。
【図１０】本発明の第１実施形態に係る遊技機の電子制御装置を構成する発射制御基板を説明するためのブロック図である。
【図１１】本発明の第１実施形態に係る遊技機の切換弁が第１回動停止位置で停止している状態の部分的な斜視図である。
【図１２】本発明の第１実施形態に係る遊技機の切換弁が第１回動停止位置で停止している状態の切換弁と操作部材との係合状態を示した斜視図である。
【図１３】本発明の第１実施形態に係る遊技機の切換弁が第１回動停止位置から第２回動停止位置に向かって回動しているときの切換弁を示した斜視図である。
【図１４】本発明の第１実施形態に係る遊技機の切換弁が第２回動停止位置で停止している状態の部分的な斜視図である。
【図１５】本発明の第１実施形態に係る遊技機の切換弁が第２回動停止位置で停止している状態の切換弁と操作部材との係合状態を示した斜視図である。
【図１６】本発明の第２実施形態に係る遊技機の電子制御装置の一部の構成を示すブロック図である。
【図１７】本発明の第２実施形態に係る遊技機の電子制御装置を構成する主制御基板を説明するためのブロック図である。
【図１８】本発明の第２実施形態に係る遊技機の切換弁が第１回動停止位置で停止している状態の切換弁と操作部材との係合状態を示した斜視図である。
【図１９】本発明の第２実施形態に係る遊技機の切換弁が第２回動停止位置で停止している状態の切換弁と操作部材との係合状態を示した斜視図である。
【図２０】本発明の第３実施形態に係る遊技機の切換弁が第１回動停止位置で停止している状態の切換弁と操作部材との係合状態を示した斜視図である。
【図２１】本発明の第３実施形態に係る遊技機の切換弁が第２回動停止位置で停止している状態の切換弁と操作部材との係合状態を示した斜視図である。
【符号の説明】
【０１２０】
１０        パチンコ機（遊技機）
１８        上皿部（賞球皿）
２６        遊技盤
２８        遊技領域
１６１      払出装置
２００      賞球タンク
２０３      ケーシング
２０４      払出通路
２０６      球抜通路
２１０      振分装置（切換部材）
２１２      球抜弁（切換弁、切換部材）
２１４      スライド部材（操作部材、切換部材）
２１６      回動軸
２２０      係合片
２２２      重心偏心部
２２２Ａ    溝部（係合部）
２２６      ばね部材（付勢部材）
【図１】
2010075627.tif 000003
【図２】
2010075627.tif 000004
【図３】
2010075627.tif 000005
【図４】
2010075627.tif 000006
【図５】
2010075627.tif 000007
【図６】
2010075627.tif 000008
【図７】
2010075627.tif 000009
【図８】
2010075627.tif 000010
【図９】
2010075627.tif 000011
【図１０】
2010075627.tif 000012
【図１１】
2010075627.tif 000013
【図１２】
2010075627.tif 000014
【図１３】
2010075627.tif 000015
【図１４】
2010075627.tif 000016
【図１５】
2010075627.tif 000017
【図１６】
2010075627.tif 000018
【図１７】
2010075627.tif 000019
【図１８】
2010075627.tif 000020
【図１９】
2010075627.tif 000021
【図２０】
2010075627.tif 000022
【図２１】
2010075627.tif 000023